(57)【要約】【課題】低感度の読取感度のみで磁気データを読み取ることができるカードの磁気データおよび高感度の読取感度のみで磁気データを読み取ることができるカードの磁気データを読み取ることが可能で、かつ、磁気データの読取が可能なカードであるのか否かを適切に判断することが可能なカードリーダを提供する。【解決手段】このカードリーダは、カード通過溝の一方のガイド面に配置される磁気ヘッド４の出力信号が入力される第１信号処理部１４と、カード通過溝の他方のガイド面に配置される磁気ヘッド５の出力信号が入力される第２信号処理部１９とを備えている。このカードリーダでは、磁気ヘッド４での磁気データの読取感度が磁気ヘッド５での磁気データの読取感度よりも高くなるように、第１信号処理部１４で、増幅後の磁気ヘッド４の出力信号に対する閾値が設定され、第２信号処理部１９で、増幅後の磁気ヘッド５の出力信号に対する閾値が設定されている。【選択図】図３
2016071390.tif 000002
【特許請求の範囲】
【請求項１】
長方形状のカードを手動で移動させて、前記カードの磁気ストライプに記録された磁気データの読取を行う手動式のカードリーダにおいて、
前記カードの短手方向の一端面が当接する当接面と前記カードの厚さ方向における前記カードの両側を案内する２個のガイド面とから構成されるカード通過溝と、２個の前記ガイド面のうちの一方の前記ガイド面から前記カード通過溝の内部に突出するとともに前記カードの短手方向において前記磁気ストライプが通過する位置に配置される第１磁気ヘッドと、２個の前記ガイド面のうちの他方の前記ガイド面から前記カード通過溝の内部に突出するとともに前記カードの短手方向において前記磁気ストライプが通過する位置に配置される第２磁気ヘッドと、前記第１磁気ヘッドの出力信号が入力される第１信号処理部と、前記第２磁気ヘッドの出力信号が入力される第２信号処理部とを備え、
前記第１磁気ヘッドで読み取られる磁気データの読取感度が前記第２磁気ヘッドで読み取られる磁気データの読取感度よりも高くなるように、前記第１信号処理部で、前記第１磁気ヘッドの出力信号または増幅後の前記第１磁気ヘッドの出力信号に対する閾値が設定され、前記第２信号処理部で、前記第２磁気ヘッドの出力信号または増幅後の前記第２磁気ヘッドの出力信号に対する閾値が設定されていることを特徴とするカードリーダ。
【請求項２】
前記カードの一方の面に形成される前記磁気ストライプに磁気データが記録され、
前記カードの短手方向の一端面が前記当接面に当接するとともに表裏が正しい向きで前記カードが前記カード通過溝を通過するときに、前記カードの一方の面に形成される前記磁気ストライプが前記第１磁気ヘッドに当接し、
前記カードの短手方向の一端面が前記当接面に当接するとともに表裏が反対向きで前記カードが前記カード通過溝を通過するときに、前記カードの一方の面に形成される前記磁気ストライプが前記第２磁気ヘッドに当接することを特徴とする請求項１記載のカードリーダ。
【請求項３】
前記カードの短手方向において、前記第１磁気ヘッドの磁気データの読取部分の中心と前記当接面との距離と、前記第２磁気ヘッドの磁気データの読取部分の中心と前記当接面との距離とが略等しくなっていることを特徴とする請求項１または２記載のカードリーダ。
【請求項４】
前記第１信号処理部の出力信号に基づいて復調データを生成する第１復調データ生成部と、前記第２信号処理部の出力信号に基づいて復調データを生成する第２復調データ生成部と、前記第１復調データ生成部で生成された復調データである第１復調データおよび前記第２復調データ生成部で生成された復調データである第２復調データが入力されるデータ処理部とを備え、
前記データ処理部は、前記第１復調データ生成部で前記第１復調データが生成された場合に、前記第１復調データの並びが正しいのか否かを判定し、前記第１復調データの並びが正しくないと、前記第１復調データの並びを反転させるとともに、前記第２復調データ生成部で前記第２復調データが生成された場合に、前記第２復調データの並びが正しいのか否かを判定し、前記第２復調データの並びが正しくないと、前記第２復調データの並びを反転させることを特徴とする請求項１から３のいずれかに記載のカードリーダ。
【発明の詳細な説明】
【技術分野】
【０００１】
本発明は、カードを手動で移動させて、カードの磁気ストライプに記録された磁気データの読取を行う手動式のカードリーダに関する。
【背景技術】
【０００２】
従来、カードを手動で移動させて、カードの磁気ストライプに記録された磁気データの読取を行う手動式のカードリーダが知られている（たとえば、特許文献１参照）。特許文献１に記載のカードリーダは、磁気データを読み取る磁気ヘッドと、磁気ヘッドの出力信号を増幅する再生信号増幅回路と、再生信号増幅回路で増幅された増幅信号の波形を整形する波形整形回路と、整形された整形信号を復調する復調回路と、全体の動作を制御するＣＰＵとを備えている。また、このカードリーダは、波形整形回路において、増幅信号を所定の読取判定基準値と比較した結果、増幅信号の波形を整形できず、磁気データを読み取ることができなかったときに、読取判定基準値を変更する基準値変更手段を備えている。
【０００３】
特許文献１に記載のカードリーダでは、基準値変更手段は、感度切り換え回路であり、磁気データの読取感度が低感度になる設定（低感度設定）と、磁気データの読取感度が高感度になる設定（高感度設定）とに磁気データの読取感度の設定を切り換える。低感度設定では、増幅信号に対する閾値の値が大きくなっており、高感度設定では、増幅信号に対する閾値の値が小さくなっている。そのため、低感度設定では、磁気ストライプに記録された磁気データにノイズ成分が含まれていても、磁気データを読み取ることが可能になる。一方、高感度設定では、磁気ストライプに記録された磁気データの磁力が弱くなって増幅信号の振幅が小さくなっても、磁気データを読み取ることが可能になる。
【０００４】
特許文献１に記載のカードリーダでは、通常、低感度設定となっており、磁気データの読取操作を行ったときに磁気データが読み取れないと、高感度設定に変更される。また、高感度設定に変更された後に、再び、磁気データの読取操作を行っても磁気データが読み取れないと、再び、低感度設定に変更され、以後、磁気データの読取操作を行っても磁気データが読み取れないと、高感度設定と低感度設定とに交互に切り換わる。
【先行技術文献】
【特許文献】
【０００５】
【特許文献１】特開２００４−３６２１７７号公報
【発明の概要】
【発明が解決しようとする課題】
【０００６】
特許文献１に記載のカードリーダでは、低感度設定で磁気データを読み取ることはできるが高感度設定で磁気データを読み取ることができないカード（たとえば、磁気ストライプに記録された磁気データにノイズ成分が含まれるカード）、または、高感度設定で磁気データを読み取ることはできるが低感度設定で磁気データを読み取ることができないカード（たとえば、磁気ストライプに記録された磁気データの磁力が弱くなっているカード）の磁気データをカードリーダで読み取ろうとしたときに、カードを同じように操作しても、磁気データを読み取れる場合と磁気データを読み取れない場合とが交互に発生する。
【０００７】
すなわち、このカードリーダでは、低感度設定で磁気データを読み取ることはできるが高感度設定で磁気データを読み取ることができないカードの磁気データや、高感度設定で磁気データを読み取ることはできるが低感度設定で磁気データを読み取ることができないカードの磁気データをカードリーダで読み取ろうとしたときに、同じカードを同じように操作しても、カードを操作するたびに、磁気データを読み取ることができるのか否かの読取結果が変わる。そのため、このカードリーダでは、磁気データを読み取ることができるカードであるのか、それとも、磁気データを読み取ることができないカードであるのかの判断に誤りが生じるおそれがある。
【０００８】
そこで、本発明の課題は、低感度の読取感度のみで磁気データを読み取ることができるカードの磁気データおよび高感度の読取感度のみで磁気データを読み取ることができるカードの磁気データを読み取ることが可能で、かつ、磁気データを読み取ることができるカードであるのか、それとも、磁気データを読み取ることができないカードであるのかを適切に判断することが可能なカードリーダを提供することにある。
【課題を解決するための手段】
【０００９】
上記の課題を解決するため、本発明のカードリーダは、長方形状のカードを手動で移動させて、カードの磁気ストライプに記録された磁気データの読取を行う手動式のカードリーダにおいて、カードの短手方向の一端面が当接する当接面とカードの厚さ方向におけるカードの両側を案内する２個のガイド面とから構成されるカード通過溝と、２個のガイド面のうちの一方のガイド面からカード通過溝の内部に突出するとともにカードの短手方向において磁気ストライプが通過する位置に配置される第１磁気ヘッドと、２個のガイド面のうちの他方のガイド面からカード通過溝の内部に突出するとともにカードの短手方向において磁気ストライプが通過する位置に配置される第２磁気ヘッドと、第１磁気ヘッドの出力信号が入力される第１信号処理部と、第２磁気ヘッドの出力信号が入力される第２信号処理部とを備え、第１磁気ヘッドで読み取られる磁気データの読取感度が第２磁気ヘッドで読み取られる磁気データの読取感度よりも高くなるように、第１信号処理部で、第１磁気ヘッドの出力信号または増幅後の第１磁気ヘッドの出力信号に対する閾値が設定され、第２信号処理部で、第２磁気ヘッドの出力信号または増幅後の第２磁気ヘッドの出力信号に対する閾値が設定されていることを特徴とする。
【００１０】
本発明のカードリーダは、カード通過溝を構成する２個のガイド面のうちの一方のガイド面からカード通過溝の内部に突出する第１磁気ヘッドと、２個のガイド面のうちの他方のガイド面からカード通過溝の内部に突出する第２磁気ヘッドとを備えている。また、本発明では、第１磁気ヘッドで読み取られる磁気データの読取感度が第２磁気ヘッドで読み取られる磁気データの読取感度よりも高くなるように、第１磁気ヘッドの出力信号が入力される第１信号処理部で、第１磁気ヘッドの出力信号または増幅後の第１磁気ヘッドの出力信号に対する閾値が設定され、第２磁気ヘッドの出力信号が入力される第２信号処理部で、第２磁気ヘッドの出力信号または増幅後の第２磁気ヘッドの出力信号に対する閾値が設定されている。
【００１１】
そのため、本発明では、高感度の読取感度で磁気データを読み取ることはできるが低感度の読取感度で磁気データを読み取ることができないカードであっても、磁気ストライプが第１磁気ヘッドに当接するようにカードを操作すれば、カードの磁気データを読み取ることが可能になる。また、低感度の読取感度で磁気データを読み取ることはできるが高感度の読取感度で磁気データを読み取ることができないカードであっても、磁気ストライプが第２磁気ヘッドに当接するようにカードの表裏を反対にしてカードを操作すれば、カードの磁気データを読み取ることが可能になる。すなわち、本発明では、低感度の読取感度のみで磁気データを読み取ることができるカードの磁気データおよび高感度の読取感度のみで磁気データを読み取ることができるカードの磁気データを読み取ることが可能になる。
【００１２】
また、本発明では、磁気ストライプが第１磁気ヘッドに当接するようにカードを同じように操作したときに、特許文献１に記載のカードリーダのように、カードを操作するたびに、磁気データを読み取ることができるのか否かの読取結果が変わることはない。同様に、磁気ストライプが第２磁気ヘッドに当接するようにカードを同じように操作したときに、カードを操作するたびに、磁気データを読み取ることができるのか否かの読取結果が変わることはない。そのため、本発明では、磁気データを読み取ることができるカードであるのか、それとも、磁気データを読み取ることができないカードであるのかを適切に判断することが可能になる。
【００１３】
本発明において、たとえば、カードの一方の面に形成される磁気ストライプに磁気データが記録され、カードの短手方向の一端面が当接面に当接するとともに表裏が正しい向きでカードがカード通過溝を通過するときに、カードの一方の面に形成される磁気ストライプが第１磁気ヘッドに当接し、カードの短手方向の一端面が当接面に当接するとともに表裏が反対向きでカードがカード通過溝を通過するときに、カードの一方の面に形成される磁気ストライプが第２磁気ヘッドに当接する。通常の操作では、カードの短手方向の一端面が当接面に当接するとともに表裏が正しい向きでカードがカード通過溝を通過するようにカードが操作される。そのため、この場合には、高感度の読取感度で磁気データを読み取ることはできるが低感度の読取感度で磁気データを読み取ることができないカード（たとえば、磁気ストライプに記録された磁気データの磁力が弱くなっているカード）の磁気データを１回のカード操作で読み取ることが可能になる。
【００１４】
本発明において、たとえば、カードの短手方向において、第１磁気ヘッドの磁気データの読取部分の中心と当接面との距離と、第２磁気ヘッドの磁気データの読取部分の中心と当接面との距離とが略等しくなっている。
【００１５】
本発明において、カードリーダは、第１信号処理部の出力信号に基づいて復調データを生成する第１復調データ生成部と、第２信号処理部の出力信号に基づいて復調データを生成する第２復調データ生成部と、第１復調データ生成部で生成された復調データである第１復調データおよび第２復調データ生成部で生成された復調データである第２復調データが入力されるデータ処理部とを備え、データ処理部は、第１復調データ生成部で第１復調データが生成された場合に、第１復調データの並びが正しいのか否かを判定し、第１復調データの並びが正しくないと、第１復調データの並びを反転させるとともに、第２復調データ生成部で第２復調データが生成された場合に、第２復調データの並びが正しいのか否かを判定し、第２復調データの並びが正しくないと、第２復調データの並びを反転させることが好ましい。このように構成すると、カードリーダが搭載される上位装置に対して、適切な第１復調データや第２復調データを出力することが可能になる。したがって、上位装置でのデータ処理の負担を軽減することが可能になる。
【発明の効果】
【００１６】
以上のように、本発明のカードリーダでは、低感度の読取感度のみで磁気データを読み取ることができるカードの磁気データおよび高感度の読取感度のみで磁気データを読み取ることができるカードの磁気データを読み取ることが可能になるとともに、磁気データを読み取ることができるカードであるのか、それとも、磁気データを読み取ることができないカードであるのかを適切に判断することが可能になる。
【図面の簡単な説明】
【００１７】
【図１】本発明の実施の形態にかかるカードリーダの斜視図である。
【図２】図１のＥ−Ｅ方向からカードリーダの構成を説明するための概略図である。
【図３】図１に示すカードリーダの回路構成を説明するためのブロック図である。
【図４】図３に示す波形整形回路に入力される信号と波形整形回路から出力される信号との関係を説明するための図である。
【図５】図３に示すＣＰＵでの復調データの処理手順を説明するためのフローチャートである。
【発明を実施するための形態】
【００１８】
以下、図面を参照しながら、本発明の実施の形態を説明する。
【００１９】
（カードリーダの構成）
図１は、本発明の実施の形態にかかるカードリーダ１の斜視図である。図２は、図１のＥ−Ｅ方向からカードリーダ１の構成を説明するための概略図である。図３は、図１に示すカードリーダ１の回路構成を説明するためのブロック図である。図４は、図３に示す波形整形回路１２、１７に入力される信号ＳＧ１、ＳＧ２と波形整形回路１２、１７から出力される信号ＳＧ３、ＳＧ４との関係を説明するための図である。
【００２０】
本形態のカードリーダ１は、カード２を手動で移動させて、カード２に記録された磁気データの読取を行う手動式のカードリーダである。具体的には、カードリーダ１は、長方形状に形成されるカード２の短手幅よりも浅い溝状に形成されたカード通過溝３に沿って手動でカード２を移動させながらカード２の磁気データを読み取るいわゆるスワイプ式のカードリーダである。このカードリーダ１は、所定の上位装置に搭載されて使用される。また、カードリーダ１は、カード２に記録された磁気データを読み取るための第１磁気ヘッド４（以下、「磁気ヘッド４」とする）および第２磁気ヘッド５（以下、「磁気ヘッド５」とする）の２個の磁気ヘッドを備えている。
【００２１】
カード２は、厚さが０．７〜０．８ｍｍ程度の矩形状の塩化ビニール製のカードである。本形態のカード２は、国際規格（たとえば、ＩＳＯ／ＩＥＣ７８１１）やＪＩＳ規格（たとえば、ＪＩＳＸ６３０２）に準拠した磁気ストライプ付きのカードである。カード２の裏面２ａには、図１に示すように、磁気データが記録される磁気ストライプ２ｂが形成されている。磁気ストライプ２ｂは、カード２の長手方向に沿って形成されている。また、カード２のおもて面にも、磁気ストライプ（図示省略）が形成されている。この磁気ストライプも、カード２の長手方向に沿って形成されている。なお、カード２は、おもて面に接点端子が形成される磁気ストライプ付きの接触式ＩＣカードであっても良いし、データ通信用のアンテナが内蔵される磁気ストライプ付きの非接触式ＩＣカードであっても良い。
【００２２】
磁気ストライプ２ｂには、第１トラック、第２トラックおよび第３トラックの３つのトラックの磁気データが記録可能となっている。第１トラック、第２トラックおよび第３トラックの磁気データは、カード２の短手方向の一端面２ｃ側からこの順番で配置される。また、カード２のおもて面に形成される磁気ストライプには、１つのトラックの磁気データが記録可能となっている。カード２の厚さ方向から見たときに、カード２のおもて面の磁気ストライプに記録されるトラックの一部は、磁気ストライプ２ｂに記録される第２トラックの全域とほぼ重なっている。本形態では、磁気ストライプ２ｂの第２トラックの磁気データのみがカード２に記録されている。なお、磁気ストライプ２ｂの第１トラックの磁気データ、第３トラックの磁気データおよびカード２のおもて面の磁気ストライプのトラックの磁気データの記録密度（より具体的には、平均記録密度）は２１０ｂｐｉであり、磁気ストライプ２ｂの第２トラックの磁気データの記録密度（より具体的には、平均記録密度）は７５ｂｐｉである。
【００２３】
カード通過溝３は、カード２の短手方向の一端面２ｃが当接する当接面７と、カード通過溝３を通過するカード２の厚さ方向におけるカード２の両側を案内する２個のガイド面８、９とから構成されている。磁気ヘッド４、５は、その磁気ギャップがカード通過溝３に臨むように配置されている。また、磁気ヘッド４は、ガイド面８からカード通過溝３の内部へ突出するように配置され、磁気ヘッド５は、ガイド面９からカード通過溝３の内部へ突出するように配置されている。また、磁気ヘッド４と磁気ヘッド５とは、その磁気ギャップがカード２の通過方向において互いにずれるように配置されている。
【００２４】
また、カード２の短手方向（より具体的には、カード２がカード通過溝３を通過するときのカード２の短手方向）において、磁気ヘッド４の磁気データの読取部分の中心ＣＬ１と当接面７との距離Ｌ１と、磁気ヘッド５の磁気データの読取部分の中心ＣＬ２と当接面７との距離Ｌ２とは略等しくなっており、磁気ヘッド４、５は、カード２の短手方向において、カード２のおもて面に形成される磁気ストライプおよび磁気ストライプ２ｂが通過する位置に配置されている。具体的には、カード２の一端面２ｃが当接面７に当接するとともに表裏が正しい向きでカード２がカード通過溝３を通過するときに、磁気ストライプ２ｂの第２トラックが磁気ヘッド４に当接するとともに、カード２のおもて面の磁気ストライプが磁気ヘッド５に当接し、カード２の一端面２ｃが当接面７に当接するとともに表裏が反対向きでカード２がカード通過溝３を通過するときに、カード２のおもて面の磁気ストライプが磁気ヘッド４に当接するとともに、磁気ストライプ２ｂの第２トラックが磁気ヘッド５に当接する位置に、磁気ヘッド４、５が配置されている。
【００２５】
磁気ヘッド４から出力される正弦波状の出力信号は、増幅回路１１に入力される。増幅回路１１では、磁気ヘッド４の出力信号が増幅されて正弦波状の増幅信号ＳＧ１、ＳＧ２となる。増幅回路１１の出力信号である増幅信号ＳＧ１、ＳＧ２は、波形整形回路１２に入力される。波形整形回路１２では、正弦波状の増幅信号ＳＧ１、ＳＧ２が矩形波状の整形信号ＳＧ３、ＳＧ４に整形される。波形整形回路１２の出力信号である整形信号ＳＧ３、ＳＧ４は、復調回路１３に入力される。復調回路１３では、整形信号ＳＧ３、ＳＧ４に基づいて復調データ（第１復調データ）が生成される。
【００２６】
同様に、磁気ヘッド５から出力される正弦波状の出力信号は、増幅回路１６に入力され、増幅回路１６では、磁気ヘッド５の出力信号が増幅されて正弦波状の増幅信号ＳＧ１、ＳＧ２となる。増幅回路１６の出力信号である増幅信号ＳＧ１、ＳＧ２は、波形整形回路１７に入力され、波形整形回路１７では、正弦波状の増幅信号ＳＧ１、ＳＧ２が矩形波状の整形信号ＳＧ３、ＳＧ４に整形される。波形整形回路１７の出力信号である整形信号ＳＧ３、ＳＧ４は、復調回路１８に入力される。復調回路１８では、整形信号ＳＧ３、ＳＧ４に基づいて復調データ（第２復調データ）が生成される。
【００２７】
復調回路１３で生成された復調データおよび復調回路１８で生成された復調データは、データ処理部としてのＣＰＵ（Ｃｅｎｔｒａｌ  Ｐｒｏｃｅｓｓｉｎｇ  Ｕｎｉｔ）２０に入力される。ＣＰＵ２０は、カードリーダ１が搭載される上位装置の制御部である上位制御部２１に接続されている。
【００２８】
本形態では、磁気ヘッド４で読み取られる磁気データの読取感度が磁気ヘッド５で読み取られる磁気データの読取感度よりも高くなるように（すなわち、磁気ヘッド４で読み取られる磁気データの読取感度が高感度となり、磁気ヘッド５で読み取られる磁気データの読取感度が低感度となるように）、波形整形回路１２において、増幅信号ＳＧ１、ＳＧ２（すなわち、増幅後の磁気ヘッド４の出力信号）に対する閾値ｔｈ１（図４（Ａ）参照）が設定され、波形整形回路１７において、増幅信号ＳＧ１、ＳＧ２（すなわち、増幅後の磁気ヘッド５の出力信号）に対する閾値ｔｈ２（図４（Ｂ）参照）が設定されている。すなわち、本形態では、波形整形回路１２で設定される閾値ｔｈ１は、波形整形回路１７で設定される閾値ｔｈ２よりも小さくなっている。
【００２９】
そのため、図４に示すように、磁気ストライプ２ｂの第２トラックの磁気データが磁気ヘッド４で読み取られた場合に波形整形回路１２に入力される増幅信号ＳＧ１、ＳＧ２と、磁気ストライプ２ｂの第２トラックの磁気データが磁気ヘッド５で読み取られた場合に波形整形回路１７に入力される増幅信号ＳＧ１、ＳＧ２とが仮に同じであっても、波形整形回路１２で生成される、振幅の小さい増幅信号ＳＧ１に対する整形信号ＳＧ３の信号レベルは、増幅信号ＳＧ１の信号レベルに応じて変動するが（図４（Ａ）参照）、波形整形回路１７で生成される、増幅信号ＳＧ１に対する整形信号ＳＧ３の信号レベルは変動しないことがある。一方、たとえば、振幅の大きい増幅信号ＳＧ２にノイズが含まれていても、波形整形回路１７で生成される、増幅信号ＳＧ２に対する整形信号ＳＧ４では、ノイズに応じた信号レベルの変動が生じる可能性は低くなるが、波形整形回路１２で生成される、増幅信号ＳＧ２に対する整形信号ＳＧ４では、ノイズに応じた信号レベルの変動が生じる可能性が高くなる。なお、実際には、磁気ストライプ２ｂの第２トラックの磁気データが磁気ヘッド５で読み取られた場合に波形整形回路１７に入力される増幅信号ＳＧ１、ＳＧ２は、磁気ストライプ２ｂの第２トラックの磁気データが磁気ヘッド４で読み取られた場合に波形整形回路１２に入力される増幅信号ＳＧ１、ＳＧ２を図４の左右で反転させたものとなる。
【００３０】
本形態では、増幅回路１１と波形整形回路１２とによって磁気ヘッド４（第１磁気ヘッド４）の出力信号が入力される第１信号処理部１４が構成されている。また、増幅回路１６と波形整形回路１７とによって磁気ヘッド５（第２磁気ヘッド５）の出力信号が入力される第２信号処理部１９が構成されている。また、本形態の復調回路１３は、第１信号処理部１４の出力信号に基づいて復調データを生成する第１復調データ生成部であり、復調回路１８は、第２信号処理部１９の出力信号に基づいて復調データを生成する第２復調データ生成部である。
【００３１】
（ＣＰＵでの復調データの処理方法）
図５は、図３に示すＣＰＵ２０での復調データの処理手順を説明するためのフローチャートである。
【００３２】
ＣＰＵ２０は、復調回路１３で復調データが生成された場合に、この復調データの並びが正しいのか否かを判定するとともに、復調データの並びが正しければ、この復調データを上位制御部２１に対して出力し、この復調データの並びが正しくなければ、この復調データの並びを反転させ、反転後の復調データを上位制御部２１に対して出力する。同様に、ＣＰＵ２０は、復調回路１８で復調データが生成された場合に、この復調データの並びが正しいのか否かを判定するとともに、復調データの並びが正しければ、この復調データを上位制御部２１に対して出力し、この復調データの並びが正しくなければ、この復調データの並びを反転させ、反転後の復調データを上位制御部２１に対して出力する。
【００３３】
ここで、本形態では、上述のように、磁気ストライプ２ｂの第２トラックの磁気データのみがカード２に記録されるとともに、カード２の一端面２ｃが当接面７に当接するとともに表裏が正しい向きでカード２がカード通過溝３を通過するときに磁気ストライプ２ｂの第２トラックが磁気ヘッド４に当接し、カード２の一端面２ｃが当接面７に当接するとともに表裏が反対向きでカード２がカード通過溝３を通過するときに磁気ストライプ２ｂの第２トラックが磁気ヘッド５に当接する。
【００３４】
そのため、カード２の一端面２ｃが当接面７に当接するとともに表裏が正しい向きでカード２がカード通過溝３を通過するようにカード２が操作されると、復調回路１３では、正しい並びの復調データが生成され、復調回路１８では、復調データが生成されない。一方、カード２の一端面２ｃが当接面７に当接するとともに表裏が反対向きでカード２がカード通過溝３を通過するようにカード２が操作されると、復調回路１３では、復調データが生成されず、復調回路１８では、並びが反対になっている復調データが生成される。
【００３５】
したがって、本形態では、図５に示すように、カード２の操作が開始されて、磁気ヘッド４または磁気ヘッド５で磁気データが読み取られると（ステップＳ１）、ＣＰＵ２０は、復調回路１３または復調回路１８で生成された復調データの並びが正しいのか否かを判定する（ステップＳ２）。カード２の一端面２ｃが当接面７に当接するとともに表裏が正しい向きでカード２がカード通過溝３を通過するようにカード２が操作されており、復調回路１３で復調データが生成される場合には、ＣＰＵ２０で判定される復調データの並びが正しいため（すなわち、ステップＳ２で“Ｙｅｓ”であるため）、ＣＰＵ２０は、この復調データを上位制御部２１に対して出力する（ステップＳ３）。
【００３６】
一方、カード２の一端面２ｃが当接面７に当接するとともに表裏が反対向きでカード２がカード通過溝３を通過するようにカード２が操作されており、復調回路１８で復調データが生成される場合には、ＣＰＵ２０で判定される復調データの並びが逆であるため（すなわち、ステップＳ２で“Ｎｏ”であるため）、ＣＰＵ２０は、この復調データの並びを反転させてから（ステップＳ４）、ステップＳ３へ進んで、反転後の復調データを上位制御部２１に対して出力する。
【００３７】
なお、通常の操作では、カード２の一端面２ｃが当接面７に当接するとともに表裏が正しい向きでカード２がカード通過溝３を通過するようにカード２が操作されると想定されるため、磁気ストライプ２ｂの第２トラックの磁気データに、磁気ヘッド４で磁気データを読み取った場合にエラーが発生するようなノイズ成分が含まれていなければ、ステップＳ２で“Ｙｅｓ”となり、復調回路１３で生成された復調データが上位制御部２１に対して出力される。
【００３８】
一方、磁気ストライプ２ｂの第２トラックの磁気データに、磁気ヘッド４で磁気データを読み取った場合にエラーが発生するようなノイズ成分が含まれていると、磁気ヘッド４での読取結果がエラーになるため、カードリーダ１あるいは上位装置は、所定の表示等を行って、ユーザに対してカード２の再操作を促す。ユーザは、カードリーダ１あるいは上位装置の表示等にしたがって、カード２の一端面２ｃが当接面７に当接するとともに表裏が反対向きでカード２がカード通過溝３を通過するように、再度カード２を操作する。この場合、磁気ストライプ２ｂの第２トラックの磁気データに、磁気ヘッド５で磁気データを読み取った場合にエラーが発生するような大きなノイズ成分が含まれていなければ、ステップＳ２で“Ｎｏ”となり、復調回路１８で生成された復調データは、その並びを反転させられた後、上位制御部２１に対して出力される。
【００３９】
（本形態の主な効果）
以上説明したように、本形態のカードリーダ１は、ガイド面８からカード通過溝３の内部へ突出するように配置される磁気ヘッド４と、ガイド面９からカード通過溝３の内部へ突出するように配置される磁気ヘッド５とを備えている。また、本形態では、磁気ヘッド４で読み取られる磁気データの読取感度が磁気ヘッド５で読み取られる磁気データの読取感度よりも高くなるように、波形整形回路１２において、増幅信号ＳＧ１、ＳＧ２に対する閾値ｔｈ１が設定され、波形整形回路１７において、増幅信号ＳＧ１、ＳＧ２に対する閾値ｔｈ２が設定されている。
【００４０】
そのため、本形態では、たとえば、磁気ストライプ２ｂに記録された磁気データの磁力が弱くなっているカード２のように、高感度の読取感度で磁気データを読み取ることはできるが低感度の読取感度で磁気データを読み取ることができないカード２であっても、磁気ストライプ２ｂが磁気ヘッド４に当接するようにカード２を操作すれば、カード２の磁気データを読み取ることが可能になる。また、たとえば、磁気ストライプ２ｂに記録された磁気データにノイズ成分が含まれるカード２のように、低感度の読取感度で磁気データを読み取ることはできるが高感度の読取感度で磁気データを読み取ることができないカード２であっても、磁気ストライプ２ｂが磁気ヘッド５に当接するようにカード２の表裏を反対にしてカード２を操作すれば、カード２の磁気データを読み取ることが可能になる。すなわち、本形態では、低感度の読取感度のみで磁気データを読み取ることができるカード２の磁気データおよび高感度の読取感度のみで磁気データを読み取ることができるカード２の磁気データを読み取ることが可能になる。
【００４１】
また、本形態では、磁気ストライプ２ｂが磁気ヘッド４に当接するようにカード２を同じように操作したときには、カード２を操作するたびに、磁気データを読み取ることができるのか否かの読取結果が変わることはない。同様に、磁気ストライプ２ｂが磁気ヘッド５に当接するようにカード２を同じように操作したときには、カード２を操作するたびに、磁気データを読み取ることができるのか否かの読取結果が変わることはない。そのため、本形態では、磁気データを読み取ることができるカード２であるのか、それとも、磁気データを読み取ることができないカード２であるのかを適切に判断することが可能になる。
【００４２】
本形態では、カード２の一端面２ｃが当接面７に当接するとともに表裏が正しい向きでカード２がカード通過溝３を通過するときに、磁気ヘッド４に磁気ストライプ２ｂが当接する。上述のように、通常の操作では、カード２の一端面２ｃが当接面７に当接するとともに表裏が正しい向きでカード２がカード通過溝３を通過するようにカード２が操作されると想定されるため、本形態では、高感度の読取感度で磁気データを読み取ることはできるが低感度の読取感度で磁気データを読み取ることができないカード２の磁気データを１回の操作で読み取ることが可能になる。
【００４３】
本形態では、ＣＰＵ２０は、復調回路１３で復調データが生成された場合に、この復調データの並びが正しいのか否かを判定するとともに、復調データの並びが正しくなければ、この復調データの並びを反転させ、反転後の復調データを上位制御部２１に対して出力している。また、ＣＰＵ２０は、復調回路１８で復調データが生成された場合に、この復調データの並びが正しいのか否かを判定するとともに、復調データの並びが正しくなければ、この復調データの並びを反転させ、反転後の復調データを上位制御部２１に対して出力している。そのため、本形態では、上位制御部２１に対して、適切な復調データを出力することが可能になり、その結果、上位制御部２１でのデータ処理の負担を軽減することが可能になる。
【００４４】
（他の実施の形態）
上述した形態は、本発明の好適な形態の一例ではあるが、これに限定されるものではなく本発明の要旨を変更しない範囲において種々変形実施が可能である。
【００４５】
上述した形態では、カード２のおもて面の磁気ストライプに磁気データが記録されていないが、カード２のおもて面の磁気ストライプに磁気データが記録されても良い。この場合には、上述のステップＳ１において、磁気ヘッド４および磁気ヘッド５で磁気データが読み取られ、ステップＳ２において、ＣＰＵ２０は、復調回路１３で生成された復調データの並びが正しいのか否かを判定するとともに、復調回路１８で生成された復調データの並びが正しいのか否かを判定する。また、ＣＰＵ２０は、復調回路１３で生成された復調データの並びおよび復調回路１８で生成された復調データの並びが正しければ、ステップＳ３において、この復調データを上位制御部２１に対して出力し、復調回路１３で生成された復調データの並びおよび復調回路１８で生成された復調データの並びが正しくないと、ステップＳ４において、この復調データの並びを反転させてから、ステップＳ３において、反転後の復調データを上位制御部２１に対して出力する。
【００４６】
なお、カード２のおもて面の磁気ストライプに磁気データが記録されるとともに、磁気ストライプ２ｂの第２トラックの磁気データが記録されている場合に、カード２の一端面２ｃが当接面７に当接するとともに表裏が正しい向きでカード２がカード通過溝３を通過するようにカード２を操作したときであって、カード２のおもて面の磁気ストライプに記録された磁気データは読み取れるが磁気ストライプ２ｂの第２トラックの磁気データが読み取れないとき、あるいは、磁気ストライプ２ｂの第２トラックの磁気データは読み取れるがカード２のおもて面の磁気ストライプに記録された磁気データが読み取れないときには、カードリーダ１あるいは上位装置は、所定の表示等を行って、ユーザに対して、表裏を反対にして再度カード２を操作するように促す。
【００４７】
上述した形態では、カード２の一端面２ｃが当接面７に当接するとともに表裏が正しい向きでカード２がカード通過溝３を通過するときに、磁気ストライプ２ｂの第２トラックが磁気ヘッド４に当接し、カード２の一端面２ｃが当接面７に当接するとともに表裏が反対向きでカード２がカード通過溝３を通過するときに、磁気ストライプ２ｂの第２トラックが磁気ヘッド５に当接する位置に磁気ヘッド４、５が配置されている。この他にもたとえば、カード２の一端面２ｃが当接面７に当接するとともに表裏が正しい向きでカード２がカード通過溝３を通過するときに、磁気ストライプ２ｂの第２トラックが磁気ヘッド５に当接し、カード２の一端面２ｃが当接面７に当接するとともに表裏が反対向きでカード２がカード通過溝３を通過するときに、磁気ストライプ２ｂの第２トラックが磁気ヘッド４に当接する位置に磁気ヘッド４、５が配置されても良い。
【００４８】
上述した形態では、カードリーダ１は、ＣＰＵ２０を備えているが、カードリーダ１は、ＣＰＵ２０を備えていなくても良い。この場合には、復調回路１３で生成された復調データおよび復調回路１８で生成された復調データは、上位制御部２１に入力される。また、上位制御部２１は、復調回路１３で復調データが生成された場合に、この復調データの並びが正しいのか否かを判定するとともに、復調データの並びが正しければ、この復調データをそのまま利用して所定の処理を実行し、復調データの並びが正しくなければ、この復調データの並びを反転させ、反転後の復調データを利用して所定の処理を実行する。また、上位制御部２１は、復調回路１８で復調データが生成された場合に、この復調データの並びが正しいのか否かを判定するとともに、復調データの並びが正しければ、この復調データをそのまま利用して所定の処理を実行し、復調データの並びが正しくなければ、この復調データの並びを反転させ、反転後の復調データを利用して所定の処理を実行する。
【００４９】
上述した形態では、カード２の短手方向において、磁気ヘッド４の磁気データの読取部分の中心ＣＬ１と当接面７との距離Ｌ１と、磁気ヘッド５の磁気データの読取部分の中心ＣＬ２と当接面７との距離Ｌ２とは略等しくなっている。この他にもたとえば、カード２の一端面２ｃが当接面７に当接するとともに表裏が正しい向きでカード２がカード通過溝３を通過するときに、カード２の短手方向において、磁気ヘッド４の磁気データの読取部分の中心ＣＬ１と磁気ストライプ２ｂの第２トラックの中心とが略一致するように磁気ヘッド４が配置され、磁気ヘッド５の磁気データの読取部分の中心ＣＬ２とカード２のおもて面の磁気ストライプの中心とが略一致するように磁気ヘッド５が配置されても良い。
【００５０】
上述した形態では、カードリーダ１は、増幅回路１１、１６を備えているが、磁気ヘッド４、５の出力が大きい場合には、カードリーダ１は、増幅回路１１、１６を備えていなくても良い。また、上述した形態では、カード２は、厚さが０．７〜０．８ｍｍ程度の矩形状の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。
【符号の説明】
【００５１】
１  カードリーダ
２  カード
２ｂ  磁気ストライプ
２ｃ  一端面（短手方向の一端面）
３  カード通過溝
４  磁気ヘッド（第１磁気ヘッド）
５  磁気ヘッド（第２磁気ヘッド）
７  当接面
８、９  ガイド面
１３  復調回路（第１復調データ生成部）
１４  第１信号処理部
１８  復調回路（第２復調データ生成部）
１９  第２信号処理部
２０  ＣＰＵ（データ処理部）
ｔｈ１、ｔｈ２  閾値
【図１】
2016071390.tif 000003
【図２】
2016071390.tif 000004
【図３】
2016071390.tif 000005
【図４】
2016071390.tif 000006
【図５】
2016071390.tif 000007